(57)【要約】【課題】  屋根などの雪下ろしにおいて、足場の悪い高所での不安定な作業のため効率が悪いことや転落する危険があるという不具合を解決すること。【解決手段】  輪状にしたヒモに取り付けた板と、該ヒモを滑らせる窪みを一方の端に設けた柱から成る除雪用具などにより、人が屋根に登ることなく、簡単な操作で効率よくかつ安全に雪下ろしすることにより、この課題を解決する。【選択図】図１
2007198106.tif 000002
【特許請求の範囲】
【請求項１】
輪状にしたヒモ１に取り付けた板２と、該輪状にしたヒモ１を滑らせる窪み３を一方の端に設けた柱４から成る除雪用具
【発明の詳細な説明】
【技術分野】
【０００１】  本発明は、除雪用具に関するものであり、輪状にしたヒモに取り付けた板と、該ヒモを滑らせる窪みを一方の端に設けた柱により、屋根などに降り積もった雪を下ろすようにしたものである。
【背景技術】
【０００２】  従来から、屋根などに降り積もった雪の雪下ろしは、人が屋根などに登って、いわゆるスコップなどを使って雪を掻きとり下ろしていた。
【発明の開示】
【発明が解決しようとする課題】
【０００３】  しかし、従来のように人が屋根などに登って、いわゆるスコップなどを使って雪を下ろす場合は、足場の悪い高所での不安定な作業となるため慎重にならざるを得ず効率が悪い。また、雪下ろしをする人が足を滑らし転落する危険も生じる。本発明は、このような従来の雪下ろしの不具合を解決することを課題とする。
【課題を解決するための手段】
【０００４】  この課題を解決するための請求項１の発明は、輪状にしたヒモ１に取り付けた板２と、該輪状にしたヒモ１を滑らせる窪み３を一方の端に設けた柱４から成る除雪用具である。窪み３の内側は、輪状にしたヒモ１を滑らせることができるように外側に向かって湾曲している。本発明を使用するときは、本発明の柱４を窪み３が垂直になるように平らな面に置き、本発明の輪状にしたヒモ１を板２が下側になるように該窪み３に回して掛け、該輪状にしたヒモ１の下側の部分を該窪み３の設けられた端から遠ざかるように引くと、該輪状にしたヒモ１に取り付けた該板２が該窪み３の設けられた端から遠ざかるように移動し、逆に、該輪状にしたヒモ１の上側の部分を該窪み３の設けられた端から遠ざかるように引くと、該板２は該窪み３の設けられた端に近づくように移動する。人が屋根などに登ることなく、本発明の除雪用具を屋根などに降り積もった雪の上に置き、軒下に垂れた本発明の輪状にしたヒモ１を引いて板２を軒の方へ移動させることにより、該板２が雪を掻き下ろすため、簡単な操作で効率よくかつ安全に雪下ろしすることができる。【０００５】  別に用意した枠５を、本発明の除雪用具の窪み３を跨ぐように取り付けることにより、輪状にしたヒモ１が該窪み３から外れにくくなることが考えられる。【０００６】  本発明の除雪用具を、屋根などの上で人が持ち運ぶことなく屋根などの最上部へ移動させるために、本発明の柱４を空洞にし、その空洞に、別に用意した輪状にしたヒモ６を組み込み、該柱４に、該輪状にしたヒモ６を回して掛けることができる軸車７と、該軸車７と同軸で連結される二輪車８を別に用意して組み込むことにより、該ヒモ６を引くと該軸車７が回って該二輪車８が回転し、該二輪車８が接する屋根などの上の任意の箇所に本発明の除雪用具を移動できるようになることが考えられる。
【発明の効果】
【０００７】  本発明により、屋根などに降り積もった雪を下ろす際に人が屋根などに登る必要がないため、高所における不安定で低効率な作業がなくなり、また、雪下ろしをする人が足を滑らし転落する危険もなくなるため、簡単な作業で効率よくかつ安全に雪下ろしすることができる。【０００８】  本発明を軽量化することは可能であり、そうなった場合は、本発明の持ち運びが楽になり本発明を操作する方法は基本的に輪状にしたヒモを引くだけであることから、本発明の使用により各人の筋力の強弱を問わず楽に雪下ろしすることが可能になるものと思慮される。【０００９】  本発明により、荷重に弱いため人が上がることができない温室などの特殊な屋根の雪下ろしが可能になるものと思慮される。【００１０】  本発明の輪状にしたヒモ１を、輪状にした鎖やチェーンに替えても、効果は同じである。【００１１】  本発明の輪状にしたヒモ１に替えて、本発明の柱４の端に、別に用意したヒモ状のゴム９やバネ１０を取り付け、該ゴム９や該バネ１０に板１を取り付け、該ゴム９や該バネ１０を伸び縮みさせて該板１を動かすようにしても効果は同じである。【００１２】  本発明のヒモ１を帯状にしても効果は同じである。【００１３】  本発明の板２を棒状のものに替えても、効果は同じである。【００１４】  本発明の板２の複数を、輪状にしたヒモ１の形状に沿って順に取り付けても、効果は同じである。【００１５】  本発明の窪み３を設けた箇所に、該窪み３に替えて、輪状にしたヒモ１を回すことのできる軸車１１を別に用意して取り付けても効果は同じである。【００１６】  本発明の柱４の形状を平板状にしても効果は同じである。【００１７】  本発明の除雪用具を操作する場合に、軒下から屋根などに立てかけた梯子の上に人が登り、屋根などに降り積もった雪が自然落下しない安全な箇所に、本発明の除雪用具を置いて使用しても効果は同じである。
【発明を実施するための最良の形態】
【００１８】  図１は、本発明の、輪状にしたヒモ１に取り付けた板２と、該輪状にしたヒモ１を滑らせる窪み３を一方の端に設けた柱４から成る除雪用具の原理を示す斜視図である。同図に示すように、窪み３の内側は、輪状にしたヒモ１を滑らせることができるように外側に向かって湾曲している。本発明を使用するときは、本発明の柱４を窪み３が垂直になるように平らな面に置き、本発明の輪状にしたヒモ１を板２が下側になるように該窪み３に回して掛け、該輪状にしたヒモ１の下側の部分を該窪み３の設けられた端から遠ざかるように引くと、該輪状にしたヒモ１に取り付けた該板２が該窪み３の設けられた端から遠ざかるように移動し、逆に、該輪状にしたヒモ１の上側の部分を該窪み３の設けられた端から遠ざかるように引くと、該板２は該窪み３の設けられた端に近づくように移動する。人が屋根などに登ることなく、本発明の除雪用具を屋根などに降り積もった雪の上に置き、軒下に垂れた本発明の輪状にしたヒモ１を引いて板２を軒の方へ移動させることにより、該板２が雪を掻き下ろすため、簡単な操作で効率よくかつ安全に雪下ろしすることができる。【００１９】  図２は、別に用意した枠５を、本発明の除雪用具の窪み３を跨ぐように取り付けた除雪用具の原理を示す斜視図である。同図に示すように、輪状にしたヒモ１が窪み３から外れにくくなることが考えられる。【００２０】図３は、本発明の柱４を空洞にし、その空洞に、別に用意した輪状にしたヒモ６を組み込み、該柱４に、該輪状にしたヒモ６を回して掛けることができる軸車７と、該軸車７と同軸で連結される二輪車８を別に用意して組み込んだ除雪用具の原理を示す斜視図である。同図に示すように、ヒモ６を引くと軸車７が回って二輪車８が回転し、該二輪車８が接する屋根などの上の任意の箇所に、人が屋根などの上で本発明の除雪用具を持ち運ぶことなく移動できるようになることが考えられる。【００２１】  図４は、本発明の除雪用具の図３の縦断面図である。同図に示すように、柱４の空洞に、輪状にしたヒモ６が軸車７を回って収まっている。【００２２】  図５は、本発明の輪状にしたヒモ１に替えて、本発明の柱４の端に、別に用意したヒモ状のゴム９やバネ１０を取り付け、該ゴム９や該バネ１０に板１を取り付けた除雪用具の原理を示す斜視図である。同図に示すように、ゴム９やバネ１０を伸び縮みさせることにより板１を動かすようにしても効果は同じである。【００２３】  図６は、本発明の窪み３を設けた箇所に、該窪み３に替えて、輪状にしたヒモ１を回すことのできる軸車１１を別に用意して取り付けた除雪用具の原理を示す斜視図である。同図に示すように、軸車１１が輪状にしたヒモ１を回すため効果は同じである。
【産業上の利用可能性】
【００２４】  本発明に係る除雪用具は、工業的に量産することが可能であるため、産業上の利用可能性を有する。
【図面の簡単な説明】
【００２５】
【図１】  本発明の除雪用具の原理を示す斜視図である。
【図２】  本発明の除雪用具に、枠５を取り付ける原理を示す斜視図である。
【図３】  本発明の除雪用具に、輪状にしたヒモ６及び軸車７並びに二輪車８を組み込む原理を示す斜視図である。
【図４】  本発明の除雪用具の図３の縦断面図である。
【図５】  本発明の輪状にしたヒモ１に替えて、本発明の柱４の端にヒモ状のゴム９やバネ１０を取り付け、該ゴム９や該バネ１０に板１を取り付ける原理を示す斜視図である。
【図６】  本発明の窪み３を設けた箇所に、該窪み３に替えて、軸車１１を取り付ける原理を示す斜視図である。
【符号の説明】
【００２６】  １    輪状にしたヒモ
２    板
３    窪み
４    柱
５    枠
６    輪状にしたヒモ
７    軸車
８    二輪車
９    ゴム
１０  バネ
１１  軸車
【図１】
2007198106.tif 000003
【図２】
2007198106.tif 000004
【図３】
2007198106.tif 000005
【図４】
2007198106.tif 000006
【図５】
2007198106.tif 000007
【図６】
2007198106.tif 000008
【手続補正書】
【提出日】平成18年1月25日(2006.1.25)
【手続補正１】
【補正対象書類名】明細書
【補正対象項目名】００１１
【補正方法】変更
【補正の内容】
【００１１】  本発明の輪状にしたヒモ１に替えて、本発明の柱４の端に、別に用意したヒモ状のゴム９又はバネ１０を取り付け、該ゴム９又は該バネ１０に板２を取り付け、該ゴム９又は該バネ１０を伸び縮みさせて該板２を動かすようにしても効果は同じである。
【手続補正２】
【補正対象書類名】明細書
【補正対象項目名】００２２
【補正方法】変更
【補正の内容】
【００２２】  図５は、本発明の輪状にしたヒモ１に替えて、本発明の柱４の端に、別に用意したヒモ状のゴム９又はバネ１０を取り付け、該ゴム９又は該バネ１０に板２を取り付けた除雪用具の原理を示す斜視図である。同図に示すように、ゴム９又はバネ１０を伸び縮みさせることにより板２を動かすようにしても効果は同じである。
2007198106.tif 000009
【手続補正書】
【提出日】平成18年4月12日(2006.4.12)
【手続補正１】
【補正対象書類名】手続補正書
【補正対象項目名】手続補正３
【補正方法】変更
【補正の内容】
【手続補正３】
【補正対象書類名】明細書
【補正対象項目名】００２５
【補正方法】変更
【補正の内容】
【００２５】
【図１】本発明の除雪用具の原理を示す斜視図である。
【図２】本発明の除雪用具に、枠５を取り付ける原理を示す斜視図である。
【図３】本発明の除雪用具に、輪状にしたヒモ６及び軸車７並びに二輪車８を組み込む原理を示す斜視図である。
【図４】本発明の除雪用具の図３の縦断面図である。
【図５】本発明の輪状にしたヒモ１に替えて、本発明の柱４の端にヒモ状のゴム９又はバネ１０を取り付け、該ゴム９又は該バネ１０に板２を取り付ける原理を示す斜視図である。
【図６】本発明の窪み３を設けた箇所に、該窪み３に替えて、軸車１１を取り付ける原理を示す斜視図である。